(57)【特許請求の範囲】
【請求項１】
紙管の芯材となる複数枚の帯状紙のうち前記紙管の最外層に配置される帯状紙の直下に配置される帯状紙にはその表面に印刷を施して印刷帯状紙とし、前記印刷帯状紙をマンドレルシャフトの軸線に対して斜め方向に送り込み、前記マンドレルシャフトに対し、前記印刷帯状紙の前記表面が前記マンドレルシャフトの中心軸に対して外方に位置する面となるようにスパイラル状に巻き付けるとともに、
前記紙管の最外層に配置される帯状紙はその表面に印刷が施されていない非印刷帯状紙とし、前記非印刷帯状紙の裏面には接着剤を塗工して接着層を形成し、前記非印刷帯状紙を前記マンドレルシャフトの軸線方向に対して斜め方向に送り込み、前記マンドレルシャフトに巻き付けられた前記印刷帯状紙とは相互に位置をずらしながら、前記マンドレルシャフトに巻き付けられた前記印刷帯状紙の前記表面に、前記非印刷帯状紙の前記表面が前記紙管の外側に位置する面となるように前記非印刷帯状紙をスパイラル状に巻き付けて両帯状紙を相互に重畳させ、
前記接着層により両帯状紙を相互に貼り合わせて紙管を得る紙管の製造方法であって、
前記非印刷帯状紙を当該非印刷帯状紙の直下に配置される前記印刷帯状紙から剥離したときに、前記非印刷帯状紙の一部又は前記非印刷帯状紙のみが剥離して前記印刷帯状紙に印刷部が残存するように、前記印刷帯状紙と前記非印刷帯状紙との接着力、前記非印刷帯状紙の紙質及び前記印刷帯状紙の紙質が設定されている紙管の製造方法。
【請求項２】
巻芯となる紙管に対して長尺衛生用紙がロール状に巻き取られてなるロール状衛生用紙であって、
前記紙管が、芯材として表面に印刷が施された印刷帯状紙と、表面に印刷が施されていない非印刷帯状紙とを有し、
前記非印刷帯状紙は前記紙管の最外層に、前記非印刷帯状紙の前記表面が前記紙管の外側に位置する面となるように配置され、且つ、前記印刷帯状紙は前記非印刷帯状紙の直下に、前記印刷帯状紙の前記表面が前記紙管の中心軸に対して外方に位置する面となるように配置され、
スパイラル状に巻回された前記印刷帯状紙の前記表面に、前記印刷帯状紙とは相互に位置をずらすように前記非印刷帯状紙がスパイラル状に巻回されて両帯状紙が重畳されており、
接着層により両帯状紙が相互に貼り合わされているロール状衛生用紙であって、
前記非印刷帯状紙を当該非印刷帯状紙の直下に配置される前記印刷帯状紙から剥離したときに、前記非印刷帯状紙の一部又は前記非印刷帯状紙のみが剥離して前記印刷帯状紙に印刷部が残存するように、前記印刷帯状紙と前記非印刷帯状紙との接着力、前記非印刷帯状紙の紙質及び前記印刷帯状紙の紙質が設定されているロール状衛生用紙。
【発明の詳細な説明】
【技術分野】
【０００１】
本発明は、トイレットペーパー、キッチンタオル等のロール状衛生用紙の巻芯として用いられる紙管の製造方法及び当該紙管を有するロール状衛生用紙に関するものである。
【背景技術】
【０００２】
トイレットペーパー、キッチンタオル等のロール状衛生用紙は、例えば巻芯となる長尺の芯管の外周面に接着剤を塗工し、その塗工部を介して幅広な衛生用紙の始端部を接着固定し、長尺芯管に対して製品長さ分だけの幅広衛生用紙を巻き取ってロールとした後、そのロールの外周面に幅広衛生用紙の終端部を固定して幅広のロール状衛生用紙（ログ）を形成し、最後にログソー等の切断刃でログを製品幅に切断することで製造することができる（例えば特許文献１及び２参照）。
【０００３】
前記製法においては芯管としてボール紙等の厚紙からなる紙管が用いられることが多い。このような紙管の製造方法としては、マンドレルシャフトの軸線に対して斜め方向に複数枚の帯状紙を送り込み、前記複数枚の帯状紙をマンドレルシャフトに対してスパイラル状に巻き付け、前記複数状の帯状紙を相互に貼り合わせることによって長尺の紙管を得る方法が知られている（例えば特許文献３〜５参照）。
【先行技術文献】
【特許文献】
【０００４】
【特許文献１】実開平６−８６６８７号公報
【特許文献２】特開２００５−８７７８８号公報
【特許文献３】特開昭５１−１００３２１号公報
【特許文献４】特開昭５２−０４２９２７号公報
【特許文献５】特許第２７６２２５５号公報
【発明の概要】
【発明が解決しようとする課題】
【０００５】
ところで、前記紙管の外表面には所定の情報を表示する目的で何らかの印刷が施されることがある。例えば紙管の製品番号を特定するためにロットナンバーが印字されるのがその一例である。
【０００６】
しかし、前記のように紙管の外表面に印刷を施した場合、紙管に対して衛生用紙を接着固定する際に接着剤中に印刷インクが溶出し、その印刷インクが衛生用紙に滲み出すため衛生用紙を汚損するという問題があった。特に、気温が低い冬場は接着剤が乾き難く、接着剤中に印刷インクが溶出し易くなるため、前記の問題が顕在化する傾向にある。このように印刷インクが衛生用紙に滲み出した場合、機能面、衛生面又は美観の問題で、最後の一巻きまで衛生用紙を使い切ることができなくなり、無駄が生ずる点において好ましくない。
【０００７】
特許文献３に記載の製造方法は、印刷が施された紙管の外周面に対し透明又は半透明の帯状紙（透光性帯状紙）を更に巻き付けて貼り合わせることにより、特許文献４又は５に記載の製造方法は、紙管の外周面に対し、印刷が施された透光性帯状紙を印刷面が内側となるように更に巻き付けて貼り合わせることにより、印刷面が衛生用紙を接着させる面に露出しないように構成している。従って、ある程度印刷インクの滲み出しが抑制されると考えられる。
【０００８】
しかしながら、特許文献３〜５に記載の製造方法は紙管の芯材となる帯状紙に加えて透光性帯状紙を用いるため、マンドレルに送り込む帯状紙の系統が増加することになる（紙管の芯材となる帯状紙が２系統であれば少なくとも３系統となる。）。従って、製造設備が大型化・複雑化し、製造が困難となることに加え、透光性帯状紙の分だけ紙管の製造コストが上昇するという課題があった。
【０００９】
本発明は、このような従来技術の有する課題に鑑みてなされたものであり、紙管の芯材となる帯状紙以外の帯状紙を用いることなく、簡易な設備により、衛生用紙に印刷インクが滲み出し難い紙管を製造し得る紙管の製造方法及びその紙管を巻芯とするロール状衛生用紙を提供するものである。
【課題を解決するための手段】
【００１０】
本発明者らは前記課題を解決するために鋭意検討した結果、紙管の芯材となる複数枚の帯状紙として印刷が施された印刷帯状紙と印刷が施されていない非印刷帯状紙を用い、マンドレルシャフトにスパイラル状に巻き付けられた印刷帯状紙の表面に相互に位置をずらしながら非印刷帯状紙をスパイラル状に巻き付けて両帯状紙を重畳させ、両帯状紙を相互に貼り合わせることにより、上記課題を解決可能であることを見出し、本発明を完成するに至った。即ち、本発明によれば、以下に示す紙管の製造方法及び当該紙管を巻芯とするロール状衛生用紙が提供される。
【００１１】
［１］紙管の芯材となる複数枚の帯状紙のうち前記紙管の最外層に配置される帯状紙の直下に配置される帯状紙にはその表面に印刷を施して印刷帯状紙とし、前記印刷帯状紙をマンドレルシャフトの軸線に対して斜め方向に送り込み、前記マンドレルシャフトに対し、前記印刷帯状紙の前記表面が前記マンドレルシャフトの中心軸に対して外方に位置する面となるようにスパイラル状に巻き付けるとともに、前記紙管の最外層に配置される帯状紙はその表面に印刷が施されていない非印刷帯状紙とし、前記非印刷帯状紙の裏面には接着剤を塗工して接着層を形成し、前記非印刷帯状紙を前記マンドレルシャフトの軸線方向に対して斜め方向に送り込み、前記マンドレルシャフトに巻き付けられた前記印刷帯状紙とは相互に位置をずらしながら、前記マンドレルシャフトに巻き付けられた前記印刷帯状紙の前記表面に、前記非印刷帯状紙の前記表面が前記紙管の外側に位置する面となるように前記非印刷帯状紙をスパイラル状に巻き付けて両帯状紙を相互に重畳させ、前記接着層により両帯状紙を相互に貼り合わせて紙管を得る紙管の製造方法であって、前記非印刷帯状紙を当該非印刷帯状紙の直下に配置される前記印刷帯状紙から剥離したときに、前記非印刷帯状紙の一部又は前記非印刷帯状紙のみが剥離して前記印刷帯状紙に印刷部が残存するように、前記印刷帯状紙と前記非印刷帯状紙との接着力、前記非印刷帯状紙の紙質及び前記印刷帯状紙の紙質が設定されている紙管の製造方法。
【００１２】
［２］巻芯となる紙管に対して長尺衛生用紙がロール状に巻き取られてなるロール状衛生用紙であって、前記紙管が、芯材として表面に印刷が施された印刷帯状紙と、表面に印刷が施されていない非印刷帯状紙とを有し、前記非印刷帯状紙は前記紙管の最外層に、前記非印刷帯状紙の前記表面が前記紙管の外側に位置する面となるように配置され、且つ、前記印刷帯状紙は前記非印刷帯状紙の直下に、前記印刷帯状紙の前記表面が前記紙管の中心軸に対して外方に位置する面となるように配置され、スパイラル状に巻回された前記印刷帯状紙の前記表面に、前記印刷帯状紙とは相互に位置をずらすように前記非印刷帯状紙がスパイラル状に巻回されて両帯状紙が重畳されており、接着層により両帯状紙が相互に貼り合わされているロール状衛生用紙であって、前記非印刷帯状紙を当該非印刷帯状紙の直下に配置される前記印刷帯状紙から剥離したときに、前記非印刷帯状紙の一部又は前記非印刷帯状紙のみが剥離して前記印刷帯状紙に印刷部が残存するように、前記印刷帯状紙と前記非印刷帯状紙との接着力、前記非印刷帯状紙の紙質及び前記印刷帯状紙の紙質が設定されているロール状衛生用紙。
【発明の効果】
【００１３】
本発明に係る紙管の製造方法は、紙管の芯材となる帯状紙以外の帯状紙を用いることなく、簡易な設備により、衛生用紙に印刷インクが滲み出し難い紙管を製造することができる。また、本発明に係るロール状衛生用紙は紙管から衛生用紙への印刷インクの滲み出しが効果的に抑制されるため、衛生用紙が汚損され難い。従って、最後の一巻きまで衛生用紙を使い切ることができ、無駄が生じ難い。
【図面の簡単な説明】
【００１４】
【図１】本発明に係る製造方法の一の実施形態を模式的に示す概略工程図である。
【図２】本発明に係る製造方法により得られる紙管の一例を模式的に示す概略斜視図である。
【図３】本発明に係るロール状衛生用紙を製造する工程の一例を模式的に示す概略工程図である。
【発明を実施するための形態】
【００１５】
以下、本発明に係る紙管の製造方法及び当該紙管を巻芯とするロール状衛生用紙を実施するための形態について図面を参照しながら具体的に説明する。但し、本発明はその発明特定事項を備える紙管の製造方法及びロール状衛生用紙を広く包含するものであり、以下の実施形態に限定されるものではない。
【００１６】
［１］定義等：
「紙管」とは、紙を芯材とする管状体であり、芯材となる複数枚の帯状紙が相互に位置をずらすようにスパイラル状に巻回され、これらの帯状紙が相互に貼り合わされてなるものを意味するものとする（このような紙管は「スパイラル紙管」と称される場合がある。）。
【００１７】
「ロール状衛生用紙」とは、巻芯となる紙管に対して長尺衛生用紙がロール状に巻き取られてなる形態の衛生用紙を意味するものとする。具体的な製品としては、ロール状トイレットペーパー、ロール状キッチンタオル等が含まれる。
【００１８】
［２］本発明に係る製造方法の特徴：
本発明に係る製造方法においては、図１に示すように紙管１の芯材となる複数枚の帯状紙２として、表面に印刷６が施された印刷帯状紙８及び表面に印刷が施されていない非印刷帯状紙１０を用い、マンドレルシャフト４にスパイラル状に巻き付けられた印刷帯状紙８の表面に、印刷帯状紙８と相互に位置をずらしながら非印刷帯状紙１０をスパイラル状に巻き付けて両帯状紙を重畳させ、印刷帯状紙８と非印刷帯状紙１０とを相互に貼り合わせる。この際、非印刷帯状紙１０を紙管１の最外層に、印刷帯状紙８を非印刷帯状紙１０の直下に配置する。
【００１９】
前記のような方法によれば、図２に示すような非印刷帯状紙１０によって印刷帯状紙８の表面が被覆された構造の紙管１を得ることができる。図２に示すような構造の紙管１は衛生用紙固定用の接着剤が塗工される外周面に印刷帯状紙８（即ち印刷インク）が露出しておらず、衛生用紙固定用の接着剤と印刷インクが直接接触しない。また、芯材となる帯状紙としては特許文献３〜５に記載の透光性帯状紙のような薄紙ではなく厚紙が用いられることが一般的であり、接着剤の浸透を抑制する効果も高い。従って、ロール状衛生用紙の製造時において衛生用紙への印刷インクの滲み出しを効果的に抑制することができる。
【００２０】
また、本発明に係る製造方法においては、図１に示すように紙管１の芯材となる印刷帯状紙８及び非印刷帯状紙１０によって紙管１を得ることができ、芯材以外の帯状紙（例えば特許文献３〜５に記載の透光性帯状紙のような専ら印刷層を被覆するために用いられる帯状紙等）を必要としない。従って、マンドレルシャフトに送り込む帯状紙の系統を増加させることなく、通常の紙管と同様の簡易な設備により、衛生用紙への印刷インクの滲み出しを抑制可能な紙管１を得ることができる。
【００２１】
なお、印刷帯状紙に印刷されるロットナンバー等の表示は紙管内側から照明を当てることにより、又は印刷帯状紙に表面に貼り合わされた非印刷帯状紙を剥離することにより、紙管の外表面側から視認することができる。
【００２２】
［３］本発明に係る製造方法の実施形態：
本発明に係る製造方法は、図１に示すように紙管１の芯材となる帯状紙２のうち一部の帯状紙に印刷６を施す工程、印刷帯状紙８をスパイラル状に巻き付ける工程、非印刷帯状紙１０に接着剤１２を塗工する工程、非印刷帯状紙１０をスパイラル状に巻き付ける工程及び印刷帯状紙８と非印刷帯状紙１０を貼り合わせる工程を必須工程として備え、必要に応じて切断工程等の他の工程を備えるものである。
【００２３】
［３−１］帯状紙：
本発明の製造方法においては、図１に示すように紙管１の芯材となる複数枚の帯状紙２を用いる。この複数枚の帯状紙２として、表面に印刷６が施された印刷帯状紙８と表面に印刷が施されていない非印刷帯状紙１０とが用いられる。即ち、少なくとも２枚の帯状紙２を用いることが必要である。但し、使用する帯状紙は２枚に限られず、３枚以上使用することもできる。なお、印刷帯状紙と非印刷帯状紙の原紙は異なるものを用いてもよいが、通常は同じものが用いられる。
【００２４】
「紙管の芯材となる」とは、ここにいう「帯状紙」には紙管の芯材として機能する帯状紙のみが含まれ、芯材以外の帯状紙（例えば特許文献３〜５に記載の透光性帯状紙のような専ら印刷層を被覆するために用いられる帯状紙等）は含まれないことを意味するものである。紙管の芯材となる紙としては、例えば紙管原紙、段ボール原紙及びクラフト紙等を挙げることができる。
【００２５】
「帯状紙」とは細長い形状の紙である。ロール状衛生用紙の巻芯となる紙管の製造に際しては幅７０〜８５ｍｍの帯状紙が用いられることが多い。
【００２６】
具体的には、厚さ１８０〜５００μｍ、密度０．４〜１．５ｇ／ｃｍ３の範囲内の単層漉き帯状紙を用いることが好ましい。帯状紙を適切な厚さ及び密度とすることにより、印刷インクが帯状紙を浸透して紙管の外表面に滲み出す事態を十分に抑制することができ、紙管内側から照明を当てた際に印刷内容を容易に確認することができる。また、単層漉き帯状紙を用いることにより、紙管の外表面側に配置された帯状紙を剥がして印刷内容を確認する際に、帯状紙の層間剥離がなく、帯状紙を綺麗に剥がすことができる。
【００２７】
厚さが１８０μｍ未満又は密度が０．４ｇ／ｃｍ３未満であると、印刷インクが当該帯状紙の内部を浸透して紙管の外表面に滲み出すおそれがある。また、芯材としての強度を十分に確保することができない場合がある。一方、厚さが５００μｍ、密度が１．５ｇ／ｃｍ３を超えると、帯状紙をマンドレルシャフトに巻き付けることが困難となるおそれがある。また、紙管内側から照明を当てた際に印刷内容を容易に確認することができない場合がある。更に、必要以上の紙原料を使用することになりコスト増に繋がる場合がある。
【００２８】
前記条件を満たす紙としては、王子製紙社製の商品名「ＴＰコア原紙」（厚さ：２２９μｍ、密度０．６５ｇ／ｃｍ３、実米坪１４９．７ｇ／ｍ２、引張強度（縦）８．１ｋＮ／ｍ、引張強度（横）３．６ｋＮ／ｍ、伸び（縦）１．８％、伸び（横）４．３％）等を好適に用いることができる。なお、ここにいう「厚さ」及び「密度」はＪＩＳ  Ｐ８１８８に記載の方法に準拠して測定した「厚さ」及び「密度」を意味するものとする。
【００２９】
［３−２］印刷工程：
本発明の製造方法においては、図１に示すように紙管１の芯材となる複数枚の帯状紙２のうち紙管１の最外層に配置される帯状紙２の直下に配置される帯状紙２の表面に印刷６を施して印刷帯状紙８とする。この印刷により紙管の一部に必要情報を表示することができる。
【００３０】
図１に示すように印刷６は帯状紙２の表面、即ち紙管１の外側に位置する面に施される。このような構造とすることで、紙管内側から照明を当てることにより、又は紙管１から非印刷帯状紙１０を剥離することにより、紙管１の外表面側から前記必要情報を容易に視認することができる。
【００３１】
印刷の方法は特に限定されず、従来公知の印刷方法，例えばフレキソ印刷等の凸版印刷、オフセット印刷等の平版印刷、グラビア印刷等の凹版印刷、シルクスクリーン印刷等の孔版印刷の他、インクジェットプリンターによる印刷等の無版印刷等の印刷方法を採用することができる。印刷により表示される必要情報も特に限定されるものではなくロットナンバーの他、原紙幅に対する位置情報、製造工場、機械番号等の各種情報を表示することができる。
【００３２】
図１に示す製造方法は、インクジェットプリンター１４により帯状紙２の表面に紙管１のロットナンバーを表示する印刷６を施した例である。この例では、印刷インクとして、日立社製のＪＰ−Ｋ３２Ａ（エタノール７５〜８５質量％、クロム錯塩染料５〜１０質量％）を、印刷インクの補助液として日立社製のＴＨ−ＴＹＰＥ  Ｄ（エタノール９９〜１００質量％）を、インクジェットプリンターとして日立社製のインクジェットプリンターを用いた。
【００３３】
［３−３］印刷帯状紙巻き付け工程：
本発明の製造方法においては、図１に示すように印刷帯状紙８をマンドレルシャフト４の軸線Ｌに対して斜め方向ｄに送り込み、マンドレルシャフト４に対しスパイラル状に巻き付ける。
【００３４】
「マンドレルシャフト」とは帯状紙を巻き付けるための円柱状又は円筒状の芯棒である。通常は鉄等の金属により構成される。「軸線」とは円柱状又は円筒状のマンドレルシャフトの中心軸（回転軸）に相当する線を意味する。図１に示すように軸線Ｌに対して斜め方向ｄに帯状紙２を送り込むことでスパイラル紙管を得られる。マンドレルシャフトの外径は紙管の内径と略一致する寸法に形成される。
【００３５】
マンドレルシャフト４にはベルト２２を駆動させるためのプーリー１８，２０が付設されている。プーリー１８，２０が矢印方向に回転することによりプーリー１８，２０とマンドレルシャフト４に架け渡されたベルト２２が走行し、帯状紙２（印刷帯状紙８及び非印刷帯状紙１０）が引き出されるとともにマンドレルシャフト４に対してスパイラル状に巻き付けられ、両帯状紙が相互に貼り合わされ、図１下側に向かって送り出される。
【００３６】
本発明の製造方法においては、マンドレルシャフト、プーリー、ベルトとも従来、紙管の製造に用いられてきたものと同様のものを用いることができる。
【００３７】
「斜め方向」とはマンドレルシャフトの軸線と平行する方向及び直交する方向以外の方向を意味する。角度は限定されないが、マンドレルシャフトの軸線に対し下向き４５度±４０度の角度で印刷帯状紙８を送り込むことが好ましい。図１に示す製造方法はマンドレルシャフト４の軸線Ｌに対し下向き４５度の角度で印刷帯状紙８を送り込む方法を採用した例である。
【００３８】
印刷帯状紙の枚数は特に限定されないが、１枚とすることが好ましく、印刷帯状紙の側縁同士を相互に隣接させ、かつ、印刷帯状紙の側縁部同士が重畳しないようにマンドレルシャフトに対して巻き付けることが好ましい。即ち、印刷帯状紙は単層で巻き付けることが好ましい。こうすることにより、紙管内側から照明を当てた際に印刷内容を容易に確認することができる。
【００３９】
但し、印刷帯状紙を巻き付ける前に予め紙管の芯材となる他の帯状紙をマンドレルシャフトに巻き付けておき、当該帯状紙の表面に印刷帯状紙を巻き付けてもよい。この場合、紙管内側から照明を当てた際の印刷内容の視認性を確保するために、他の帯状紙の枚数を１枚に止めることが好ましい。この場合、紙管全体としては非印刷帯状紙（最外層）、印刷帯状紙（２番目の層）、他の帯状紙（最内層）の３枚の帯状紙が用いられることになる。
【００４０】
［３−４］接着剤塗工工程：
前記印刷工程及び印刷帯状紙巻き付け工程と並行して、本発明の製造方法においては、図１に示すように複数枚の帯状紙２のうち最外層に配置される帯状紙２はその表面に印刷を施さない非印刷帯状紙１０とし、その非印刷帯状紙１０の裏面には接着剤１２を塗工して接着層を形成する。この接着層により印刷帯状紙８と非印刷帯状紙１０を貼り合わせて紙管１を得ることが可能となる。
【００４１】
図１に示すように接着剤１２の塗工は非印刷帯状紙１０の裏面、即ち紙管１の内側に位置する面に施される。このような構造とすることで、非印刷帯状紙１０と印刷帯状紙８とを貼り合わせることが可能となる。
【００４２】
接着剤の種類、塗工量は従来公知のスパイラル紙管の製造に準じて適宜選択すればよい。接着剤としては、従来公知の紙用接着剤、具体的には酢酸ビニル樹脂エマルジョン接着剤等の水溶性接着剤を好適に用いることができる。
【００４３】
中でも、固形分４０〜５０％、粘度５００〜４０００ｍＰａ・ｓの範囲内の酢酸ビニル樹脂エマルジョン接着剤を用いることが好ましい。このような接着剤を用いることにより、紙管の外表面側に配置された帯状紙を剥がして印刷内容を確認する際に、帯状紙を綺麗に剥がすことができ、印刷内容を容易に確認することができる。具体的には、昭和高分子社製の商品名「ポリゾール  接着用−２６２０」（主成分：酢酸ビニル樹脂、固形分：４２．０〜４６．０％（１０５℃×１時間）、粘度：１５００〜２５００ｍＰａ・ｓ（２３℃、ＢＨ型粘度計、１０ｒｐｍ））、積水フーラー社製の商品名「ＪＷ−６６０１」（主成分：酢酸ビニル樹脂、固形分：４４．５％、粘度：３０００ｍＰａ・ｓ（３０℃））等を好適に用いることができる。
【００４４】
固形分が４０％未満又は粘度が５００ｍＰａ・ｓ未満であると、印刷インクが接着剤に溶出し帯状紙の内部を浸透して紙管の外表面に滲み出すおそれがある。一方、固形分が５０％又は粘度が４０００ｍＰａ・ｓを超えると、接着剤の塗工が困難となる他、塗工ムラを生じ、接着強度が低下し、或いは確実に接着を行うことができない等の問題を生ずるおそれがある。
【００４５】
塗工量についても特に限定されないが、塗工量１０〜３０ｇ／ｍ２の範囲内で接着剤を塗工して接着層を形成することが好ましい。塗工量が１０ｇ／ｍ２未満であると、接着強度が低下し、或いは確実に接着を行うことができない等の問題を生ずるおそれがある。一方、塗工量が３０ｇ／ｍ２を超えると、印刷インクが接着剤に溶出し帯状紙の内部を浸透して紙管の外表面に滲み出すおそれがある。なお、非印刷帯状紙の剥離を容易にするために、再剥離性接着剤を用いてもよい。
【００４６】
接着剤を塗工する方法についても特に限定されず、従来公知の接着剤塗工方法、例えば転写ローラー、塗布スポンジ等を用いて接着剤を塗工する方法を採用することができる。図１に示す製造方法は接着剤１２を塗布スポンジ１６に含浸させ、その塗布スポンジ１６を非印刷帯状紙１０の裏面に接触させることにより、非印刷帯状紙１０の裏面に接着剤１２を塗工する方法を採用した例である。
【００４７】
［３−５］非印刷帯状紙巻き付け工程：
本発明の製造方法においては、図１に示すように非印刷帯状紙１０をマンドレルシャフト４の軸線Ｌ方向に対して斜め方向ｄに送り込み、マンドレルシャフト４に巻き付けられた印刷帯状紙８とは相互に位置をずらしながら、マンドレルシャフト４に巻き付けられた印刷帯状紙８の表面に非印刷帯状紙１０をスパイラル状に巻き付ける。
【００４８】
従前の紙管の製造方法においては印刷部分を視認させるため印刷部分が紙管の外表面に露出するように、即ちマンドレルシャフト４に巻き付けられた非印刷帯状紙に対して印刷帯状紙を巻き付けていた。しかし、ロットナンバー等の表示はデザイン印刷等とは異なり、常時視認可能となっている必要はなく、製品不良等が発生した場合に確認できればよいと考えられる。従って、本発明の製造方法においてはマンドレルシャフト４に巻き付けられた印刷帯状紙の表面に非印刷帯状紙を巻き付けることとした。このような構造の紙管であっても印刷帯状紙に印刷されるロットナンバー等の表示は紙管内側から照明を当てることにより、又は非印刷帯状紙を剥離することにより確認することができる。
【００４９】
「印刷帯状紙とは相互に位置をずらしながら」とは、印刷帯状紙と非印刷帯状紙の巻き付け位置（即ち、巻き付けピッチ）がずれていることを意味する。こうすることにより、印刷帯状紙及び非印刷帯状紙として等幅の帯状紙を用いた場合でも、印刷帯状紙の継ぎ目をつなぎ合わせるように非印刷帯状紙が貼り合わされることになり、確実に紙管を形成することができる。巻き付け位置のずらし方は特に限定されないが、非印刷帯状紙と印刷帯状紙を確実に貼り合わせて紙管を形成するという観点から、図１又は図２に示す紙管１のように非印刷帯状紙１０と印刷帯状紙８の巻付け位置を半ピッチずつずらすことが好ましい。
【００５０】
非印刷帯状紙はマンドレルシャフトに対してではなく、「マンドレルシャフトに巻き付けられた印刷帯状紙」に対してスパイラル状に巻き付ける。こうすることにより、印刷帯状紙の表面に施された印刷を非印刷帯状紙によって被覆することができる。
【００５１】
巻き付けの方法は印刷帯状紙巻き付け工程に準じて行うことができる。非印刷帯状紙同士を重畳させることなく単層で巻き付ける。本発明の製造方法においては非印刷帯状紙は最外層に配置され、その直下には印刷帯状紙が配置される。従って、非印刷帯状紙の枚数は１枚とする。即ち、紙管全体で用いられる帯状紙の枚数は印刷帯状紙及び非印刷帯状紙を含めて合計２〜３枚とすることが好ましい。このような方法によれば、２〜３層の紙層が積層された紙管を得ることができる。
【００５２】
［３−６］貼り合わせ工程：
本発明の製造方法においては、接着剤塗工工程において形成した接着層により印刷帯状紙と非印刷帯状紙を相互に貼り合わせて紙管を得る。図１に示すようにプーリー１８，２０を回転させベルト２２を走行させることで、印刷帯状紙８と非印刷帯状紙１０を相互に位置をずらしながらマンドレルシャフト４に対してスパイラル状に巻き付けることができ、両帯状紙を相互に貼り合わせることができる。
【００５３】
前記貼り合わせ工程によって、印刷帯状紙８と非印刷帯状紙１０とが相互に貼り合わされた長尺の紙管（スパイラル巻回体２６）が連続的に形成される。ロール状衛生用紙の種類により異なるが、紙管のサイズは外径３５〜５０ｍｍφ、厚さ０．５〜１．５ｍｍとすることが一般的である。
【００５４】
［３−７］切断工程：
図１に示すように貼り合わせ工程で形成されたスパイラル巻回体２６は切断刃２８で切断することにより長尺紙管とすることができる。
【００５５】
この切断工程においては、スパイラル巻回体を最終製品であるロール状衛生用紙の幅の１０〜３０倍の長さを有するものに切断し長尺紙管を得ることが好ましい。このような長尺紙管を用いることで一時に複数個のロール状衛生用紙を製造することが可能となる。
【００５６】
切断刃としては、後述するログ切断工程で用いられるログソー、バンドソーと同様のものを好適に用いることができる。
【００５７】
［３−８］印刷帯状紙と非印刷帯状紙の接着力及び紙質：
本発明に係る紙管の製造方法及びロール状衛生用紙にあっては、非印刷帯状紙を剥離したときに、非印刷帯状紙の一部又は非印刷帯状紙のみが剥離し、印刷帯状紙に印刷部が残存するように、印刷帯状紙と非印刷帯状紙との接着力（接着層による接着力）、非印刷帯状紙の紙質及び印刷帯状紙の紙質が設定されている。即ち、非印刷帯状紙を剥離したときに、その印刷帯状紙の一部が剥離しないように、印刷帯状紙と非印刷帯状紙との接着力、非印刷帯状紙の紙質及び印刷帯状紙の紙質が設定されている。これにより、非印刷帯状紙を剥離して印刷帯状紙への印刷内容を確実かつ容易に確認することができる。
【００５８】
［４］本発明に係るロール状衛生用紙の実施形態：
本発明に係るロール状衛生用紙は、既に説明した本発明に係る製造方法により得られた紙管を巻芯として用い、この巻芯（紙管）に対して長尺衛生用紙がロール状に巻き取られてなるものである。巻芯として本発明の製造方法に係る紙管を用いることで紙管から衛生用紙への印刷インクの滲み出しが効果的に抑制される。従って、印刷インクによって衛生用紙が汚損され難く、最後の一巻きまで衛生用紙を使い切ることができ、無駄が生じ難い。
【００５９】
［４−１］紙管：
本発明の製造方法により得られる紙管は、図１及び図２に示す紙管１のように、芯材として表面に印刷６が施された印刷帯状紙８及び表面に印刷が施されていない非印刷帯状紙１０とを有し、非印刷帯状紙１０は紙管１の最外層に、印刷帯状紙８は非印刷帯状紙１０の直下に配置され、スパイラル状に巻回された印刷帯状紙８の表面に、印刷帯状紙８と相互に位置をずらすように非印刷帯状紙１０がスパイラル状に巻回されて印刷帯状紙８と非印刷帯状紙１０が重畳されており、接着層により印刷帯状紙８と非印刷帯状紙１０が相互に貼り合わされているものである。
【００６０】
［４−２］長尺衛生用紙：
長尺衛生用紙としては、従来公知のトイレットペーパー用原紙、キッチンタオル用原紙を用いることができる。例えば、坪量１０〜２５ｇ／ｍ２に抄紙されたトイレットペーパー用原紙等を好適に用いることができる。坪量が１０ｇ／ｍ２未満であると、適正な強度を確保することができない場合がある。一方、坪量が２５ｇ／ｍ２を超えると、柔軟性が損なわれ、触感が硬くなり過ぎる場合がある。
【００６１】
長尺衛生用紙としては、単層の長尺原紙を用いてもよいし（１プライ、シングル）、長尺原紙が２枚積層された２層の長尺原紙を用いてもよい（２プライ、ダブル）。更に、３枚以上の長尺原紙が積層された複層長尺原紙を用いることもできる（マルチプライ）。
【００６２】
長尺衛生用紙の長さ、即ち巻き取り長は、ロール状衛生用紙の種類によって異なる。例えば、ロール状トイレットペーパーの場合であれば２５〜９０ｍ、ロール状キッチンタオルの場合であれば１０〜２０ｍとすることが一般的である。
【００６３】
製品幅はロール状衛生用紙の種類によって異なる。例えば、ロール状トイレットペーパーの場合であれば１０５〜１１４ｍｍ、ロール状キッチンタオルの場合であれば２１０〜２２８ｍｍとすることが一般的である。
【００６４】
［４−３］製造方法：
本発明に係るロール状衛生用紙は、本発明の製造方法に係る紙管を巻芯として用いることを除いては、従来公知のロール状衛生用紙と同様の方法により製造することができる。例えば、以下に示すような方法により製造することができる。
【００６５】
［４−３ａ］長尺衛生用紙の紙管への接着固定：
第１の工程は、紙管の外周面に、紙管の長手方向に沿ってピックアップ糊を塗工してピックアップ糊塗工部を形成し、ピックアップ糊塗工部を介して、紙管の外周面に長尺原紙の始端部を接着固定する工程である。
【００６６】
長尺原紙としては通常の製品（トイレットペーパーの場合、幅１１４ｍｍ、長さ５０〜６０ｍ程度）に比して、更に幅広かつ長尺な原紙（製品に対し、幅１０〜６０倍、長さ５００〜２０００倍程度。以下、「幅広長尺原紙」と記す。）を用いることが好ましい。このような幅広長尺原紙を用いることで大量生産、連続生産が可能となる。通常は前記幅広長尺原紙を大径に巻回した原反ロールから幅広長尺原紙を供給する。
【００６７】
この製造方法においては、紙管としてロール状衛生用紙の幅の１０〜６０倍の長さを有する長尺紙管を用いることが好ましい。このような長尺紙管を前記幅広長尺原紙とともに用いれば一時に複数個のロール状衛生用紙を製造することができる。
【００６８】
ピックアップ糊は、紙管の外周面に長尺原紙の始端部を接着固定するための接着剤である。接着剤の種類は特に限定されないが、長尺原紙を迅速に接着固定することができ、長尺原紙を巻き取る際の引張力にも耐え得る接着強度を有する接着剤であることが好ましい。このような接着剤としては水溶性接着剤が好ましく、セルロース誘導体接着剤が更に好ましい。市販のセルロース誘導体接着剤の中では、ウエットタックが強く、ピックアップ性に優れるという理由から、カネビノールＴＶ９７６、カネビノールＴＶ９８６（いずれも商品名、日本エヌエスシー社製）が特に好ましい。
【００６９】
「紙管の長手方向に沿って」とは、ピックアップ糊塗工部が紙管の軸方向と平行するように形成されていれば足り、長手方向の全域において連続的に形成されていることを要しない。
【００７０】
ピックアップ糊塗工部の形成は、従来公知の接着剤塗工方法によって形成することができる。例えば、コーターによる塗布、スプレーによる噴霧等を挙げることができる。中でも、所望の部位に確実に接着剤を塗工することができるという理由からコーターによる塗布が好ましい。
【００７１】
前記のように形成されたピックアップ糊塗工部を介して、紙管の外周面に長尺原紙の始端部を接着固定する。具体的には、ピックアップ糊塗工部が形成された紙管と長尺原紙とを圧接することにより接着固定を行う。なお、この接着は、ピックアップ糊塗工部が長尺原紙の始端から１０〜１５０ｍｍ離れた位置に配置されるように行うことが好ましい。
【００７２】
このような工程は、例えば図３に示すようなワインダー５０を用いて行うことができる。図３中、Ｒ１〜Ｒ５はロールを示す。
【００７３】
まず、図３のＡ部に示すように長尺紙管５２に円筒状又は円柱（棒）状のマンドレルシャフト５４を挿入し、長尺紙管５２をマンドレルシャフト５４に固定する。次いで、図３のＢ部に示すようにコーター５６を用いて長尺紙管５２にピックアップ糊５８を塗工し、ピックアップ糊塗工部６０を形成する。
【００７４】
更に、図３のＣ部に示すように長尺紙管５２が固定されたマンドレルシャフト５４を送出ローラー６２の方へ移動させ、長尺紙管５２に形成されたピックアップ糊塗工部６０と送出ローラー６２から送出された幅広長尺原紙６４とを圧着させる。この操作により長尺紙管５２と幅広長尺原紙６４とを接着固定させることができる。
【００７５】
［４−３ｂ］長尺衛生用紙の巻き取り：
第２の工程は、長尺原紙を製品長さ分だけ紙管に巻き取ってロールを形成し、長尺原紙の終端部又はロールの外周面に、長尺原紙又はロールの幅方向に沿ってテールシール糊を塗工してテールシール糊塗工部を形成し、テールシール糊塗工部を介して、ロールの外周面に長尺原紙の終端部を接着固定する工程である。前記のように長尺紙管と幅広長尺原紙を用いる場合には、幅広のロール状衛生用紙であるログが形成される。
【００７６】
テールシール糊はロールの外周面に長尺原紙の終端部を接着固定するための接着剤である。テールシール糊の種類は特に限定されるものではなく、長尺原紙を迅速に接着固定することができ、容易に剥離しない接着強度を有する接着剤であることが好ましい。このような接着剤としては、水溶性接着剤が好ましく、セルロース誘導体接着剤が更に好ましい。市販のセルロース誘導体接着剤の中では、ウエットタックが強く、乾燥性に優れるという理由から、カネビノールＴＶ９９５、カネビノールＴＶ９９７（いずれも商品名、日本エヌエスシー社製）が特に好ましい。
【００７７】
「長尺原紙の幅方向に沿って」とは、テールシール糊塗工部が長尺原紙の終端と平行するように形成されていれば足り、終端部において連続的に形成されていることを要しない。テールシール糊塗工部は、長尺原紙の終端部に形成してもよいし、ロールの外周面（具体的には、長尺原紙の終端部が当接する部分）に形成してもよい。テールシール糊塗工部は長尺原紙の終端から１０〜５０ｍｍ離れた位置、又はロールの外周面において長尺原紙の前記位置が当接される位置に形成することが好ましい。
【００７８】
前記工程をより具体的に説明すると、図３のＤ部に示すように、マンドレルシャフト５４を図示されない噛み合わせのギア等によって長尺紙管５２の周方向に回転させる。この回転により幅広長尺原紙６４が長尺紙管５２に対して巻き取られてロール６６が形成される。幅広長尺原紙６４は製品長さ分だけ長尺紙管５２に巻き取られた後、切断される。この切断によって幅広長尺原紙の終端部が形成される。
【００７９】
次いで、図３のＥ部に示すようにコーター６８を用いて幅広長尺原紙６４の終端部にテールシール糊を塗工し、テールシール糊塗工部７０を形成する。更に、幅広長尺原紙６４の終端部に形成されたテールシール糊塗工部７０とロール６６の外周面とを圧着させる。この操作により幅広長尺原紙６４の終端部とロール６６の外周面とが接着固定され、幅広のロール状衛生用紙であるログ７２を形成することができる。
【００８０】
［４−３ｃ］ログの切断：
前記のように形成されたログを切断刃により製品幅に切断して最終製品であるロール状衛生用紙を得る。
【００８１】
「切断刃」としては、ログソー（丸刃）、バンドソー（平刃）等、従来公知の切断刃を用いることができる。刃の厚さとしては、２〜１０ｍｍのものが好適に用いられる。
【産業上の利用可能性】
【００８２】
本発明に係る紙管の製造方法は、ロール状トイレットペーパー、ロール状キッチンタオル等のロール状衛生用紙の巻芯となる紙管を製造する方法として好適に用いることができる。
【符号の説明】
【００８３】
１：紙管、２：帯状紙、４：マンドレルシャフト、６：印刷、８：印刷帯状紙、１０：非印刷帯状紙、１２：接着剤、１４：インクジェットプリンター、１６：塗布スポンジ、１８，２０：プーリー、２２，２４：ベルト、２６：スパイラル巻回体、２８：切断刃、５０：ワインダー、５２：長尺紙管、５４：マンドレルシャフト、５６：コーター、５８：ピックアップ糊、６０：ピックアップ糊塗工部、６２：送出ローラー、６４：幅広長尺原紙、６６：ロール、６８：コーター、７０：テールシール糊塗工部、７２：ログ、Ｌ：軸線、ｄ：斜め方向、Ｒ１，Ｒ２，Ｒ３，Ｒ４，Ｒ５，Ｒ６：ロール。
【図１】
0005590205.tif 000002
【図２】
0005590205.tif 000003
【図３】
0005590205.tif 000004